(57)【特許請求の範囲】
【請求項１】
画像オブジェクトを配信するシステム（１）であって、通信網（３）と、該通信網（３）と接続された少なくとも１つのメディアセンタ（２）と、該メディアセンタ（２）と接続され、ユーザ関心対象プロファイルが内部に記憶されているユーザ関心対象データベース（２９２）と、該メディアセンタ（２）と接続され、該画像オブジェクトと該画像オブジェクトに関連付けられた画像オブジェクト情報とが内部に記憶されている画像オブジェクトデータベース（２９１）と、該通信網（３）と接続可能である１つまたは複数個の通信端末機（４、４’、４”）とを含み、該通信端末機のそれぞれは、その通信端末機の１つ（４）のユーザに対して該画像オブジェクトを閲覧できるようにする表示ユニット（４１）を有しており、
該ユーザ関心対象データベース（２９２）内にユーザ関心対象プロファイルに関連付けられたユーザ識別データが記憶されると共に、
該メディアセンタ（２）は以下の機能、すなわち、
−該通信端末機（４、４’、４”）の各々から該通信網（３）を経て該メディアセンタ（２）に送信されたユーザ識別データを受信する機能と、
−該受信したユーザ識別データと関連付けられたユーザ関心対象プロファイルを決定する機能と、
−該決定されたユーザ関心対象プロファイルの情報との少なくとも１つの相関関係を有する、画像オブジェクト情報が関連付けられた画像オブジェクトを決定する機能と、
−該決定された画像オブジェクトの少なくとも１つを、該通信網（３）を経て、該受信されたユーザ識別データの転送元である通信端末機（４）のそれぞれへと送信する機能と、を実行する手段を含み、
該通信端末機（４）の各々は、該ユーザの少なくとも片方の眼の実際の視線方向を決定する視線方向決定モジュール（４２）を含み、
該メディアセンタ（２）は視線方向評価モジュール（２３）を含み、該視線方向評価モジュールは、該通信端末機（４）のそれぞれから該通信網（３）を経て該メディアセンタ（２）に送信される実際の視線方向に基づいて、また、該メディアセンタ（２）から該通信網（３）を経て該通信端末機（４）のそれぞれに転送されるビデオオブジェクトおよび／または画像オブジェクトに基づいて、該通信端末機（４）のそれぞれのユーザが閲覧する該画像オブジェクトを決定し、そして
該メディアセンタ（２）は、視線方向評価モジュール（２３）によって決定された画像オブジェクトのそれぞれに関連付けられた画像オブジェクト情報に基づいてユーザ関心対象プロファイルを決定し、かつこれらを該ユーザ関心対象データベース（２９２）に記憶する関心対象決定モジュール（２５）を含むことを特徴とするシステム（１）。
【請求項２】
請求項１に記載のシステムにおいて、該画像オブジェクト情報は注文番号を含み、各ユーザの該ユーザ識別データは明確なユーザ識別名を含み、該メディアセンタ（２）は、決定された該画像オブジェクトの１つについて注文手続きを開始する注文モジュール（２２）を含み、該注文には該画像オブジェクトに関連付けられた注文番号と該各ユーザの明確なユーザ識別名が使用されることを特徴とするシステム（１）。
【請求項３】
請求項１または２に記載のシステムにおいて、該メディアセンタ（２）は該決定された画像オブジェクトを該ビデオオブジェクトに挿入する手段を含み、該ビデオオブジェクトは該メディアセンタ（２）から該通信網（３）を経て該通信端末機（４）のそれぞれに送信され、該ビデオオブジェクトが該表示ユニット（４１）を利用して該通信端末機（４）のそれぞれのユーザが閲覧可能であるようにされることを特徴とするシステム（１）。
【請求項４】
請求項３に記載のシステムにおいて、記憶されたメディアオブジェクトから該ビデオオブジェクトを生成するビデオシンセサイザ（２７）を含み、メディアオブジェクト情報が関連付けられたメディアオブジェクトは、該メディアオブジェクト情報が該決定されたユーザ関心対象プロファイルの情報との少なくとも１つの相関関係を有するように決定されることを特徴とするシステム（１）。
【請求項５】
請求項１乃至４の何れか１項に記載のシステムにおいて、該ユーザ識別データは生物測定学的なユーザの特徴を含み、該通信端末機（４）は該生物測定学的なユーザの特徴を検出するセンサ（４３）を有することを特徴とするシステム（１）。
【請求項６】
請求項５に記載のシステムにおいて、該生物測定学的なユーザの特徴は網膜パターンを含み、該センサ（４３）は該網膜パターンを検出する超小型エレクトロメカニカルスキャナを含むことを特徴とするシステム（１）。
【請求項７】
請求項１乃至５の何れか１項に記載のシステムにおいて、該表示ユニット（４１）は、ビデオオブジェクト、および／または画像オブジェクトに対応する光信号をユーザの網膜に直接投影する仮想網膜表示ユニットを含むことを特徴とするシステム（１）。
【請求項８】
請求項１乃至７の何れか１項に記載のシステムにおいて、該通信網（３）はモバイル無線網を含み、該通信端末機（４、４’、４”）はモバイル無線器を含むことを特徴とするシステム（１）。
【請求項９】
請求項１乃至８の何れか１項に記載のシステムにおいて、商品および／またはサービスのそれぞれに関連し、該商品および／またはサービスの提供者によって通信網（５）を介して入力される画像オブジェクトとこれに関連付けられた画像オブジェクト情報とを受信し、かつ、該受信された画像オブジェクトとこれに関連付けられた画像オブジェクト情報とを画像オブジェクトデータベース（２９１）に記憶する画像オブジェクト入力モジュール（２４）を備えることを特徴とするシステム（１）。
【請求項１０】
請求項１乃至９の何れか１項に記載のシステムにおいて、該関心対象決定モジュール（２５）は、該視線方向評価モジュール（２３）によって決定された画像オブジェクトにそれぞれ関連付けられた画像オブジェクト情報に基づいて、該ユーザ関心対象プロファイルを決定するよう構成されていることを特徴とするシステム（１）。
【請求項１１】
画像オブジェクトを配信する方法であって、メディアセンタ（２）と接続された画像オブジェクトデータベース（２９１）から画像オブジェクトが取り出され、該画像オブジェクトと該画像オブジェクトに関連付けられた画像オブジェクト情報とが、該画像オブジェクトデータベース（２９１）内に記憶され、かつ該メディアセンタ（２）から通信網（３）を経て、該通信網（３）と接続可能な通信端末機（４、４’、４”）に送信され、かつ該通信端末機の１つ（４）のユーザが該通信端末機（４）の表示ユニット（４１）を使用して該画像オブジェクトをそれぞれ閲覧できるようにされており、
該通信端末機の１つ（４）から該通信網（３）を経て該メディアセンタ（２）にそれぞれ送信されるユーザ識別データが該メディアセンタ（２）によって受信され、
該メディアセンタ（２）と接続され、ユーザ関心対象プロファイルと該ユーザ関心対象プロファイルに関連付けられたユーザ識別データとが記憶されているユーザ関心対象データベース（２９２）から、該受信されたユーザ識別データにそれぞれ関連付けられたユーザ関心対象プロフィルが該メディアセンタ（２）によって決定され、
該画像オブジェクト情報と関連付けられた画像オブジェクトは、該画像オブジェクトデータベース（２９１）から該メディアセンタ（２）が選択した該決定されたユーザ関心対象プロファイルの情報との少なくとも１つの相関関係を有し、かつ、
該選択された画像オブジェクトの少なくとも１つが、該メディアセンタ（２）から、該通信網（３）を経て、該受信されたユーザ識別データを送信した該通信端末機（４）のぞれぞれに送信され、
該ユーザの少なくとも片方の眼の実際の視線方向が、該通信端末機（４）のそれぞれの視線方向決定モジュール（４３）によってそれぞれ決定され、
該決定された実際の視線方向が、該通信端末機（４）のそれぞれから該通信網（３）を経て該メディアセンタ（２）にそれぞれ送信され、
該決定された実際の視線方向に基づいて、また、該メディアセンタ（２）から該通信網（３）を経て該通信端末機（４）のそれぞれに送信されたビデオオブジェクトおよび／または画像オブジェクトに基づいて、該通信端末機（４）のそれぞれのユーザによって閲覧される画像オブジェクトが、該メディアセンタ（２）の視線方向評価モジュール（２３）によって決定され、そして、
該メディアセンタ（２）の関心対象決定モジュール（２５）によって、該視線方向評価モジュール（２３）によって選択された画像オブジェクトのそれぞれに関連付けられた画像オブジェクト情報に基づいて、ユーザ関心対象プロファイルが決定され、かつ該ユーザ関心対象データベース（２９２）に記憶されることを特徴とする方法。
【請求項１２】
請求項１１に記載の方法において、該画像オブジェクト情報は注文番号を含み、各ユーザの該ユーザ識別データは明確なユーザ識別名を含み、該選択された該画像オブジェクトの１つについて注文手続きが該メディアセンタ（２）の注文モジュール（２２）によって開始され、該注文には、該画像オブジェクトに関連付けられた注文番号と該ユーザの明確なユーザ識別名とが使用されることを特徴とする方法。
【請求項１３】
請求項１１または１２に記載の方法において、該選択された画像オブジェクトが該メディアセンタ（２）によって該ビデオオブジェクトに挿入され、該ビデオオブジェクトが、該メディアセンタ（２）から該通信網（３）を経て該通信端末機（４）のそれぞれに送信され、該ビデオオブジェクトが該表示ユニット（４１）を利用して該通信端末機（４）のそれぞれのユーザが閲覧可能であるようにされることを特徴とする方法。
【請求項１４】
請求項１３に記載の方法において、該ビデオオブジェクトが記憶されたメディアオブジェクトからビデオシンセサイザ（２７）によって生成され、該メディアオブジェクト情報が関連付けられたメディアオブジェクトが、該決定されたユーザ関心対象プロフィルの情報と該メディアオブジェクト情報とが少なくとも１つの相関関係を有するように選択されることを特徴とする方法。
【請求項１５】
請求項１１乃至１４の何れか１項に記載の方法において、該通信端末機（４）内でセンサ（４３）を用いて生物測定学的なユーザの特徴が検出され、該生物測定学的なユーザの特徴は該ユーザ識別データに挿入されることを特徴とする方法。
【請求項１６】
請求項１５に記載の方法において、超小型エレクトロメカニカルスキャナを用いて網膜パターンが検出され、該網膜パターンは該ユーザ識別データに挿入されることを特徴とする方法。
【請求項１７】
請求項１１乃至１６の何れか１項に記載の方法において、該ビデオオブジェクトおよび／または該画像オブジェクトに対応する光信号が仮想網膜表示ユニット（４１）によってユーザの網膜に直接投影されることを特徴とする方法。
【請求項１８】
請求項１１乃至１７の何れか１項に記載の方法において、該通信網（３）はモバイル無線網を含み、該通信端末機（４、４’、４”）はモバイル無線器を含むことを特徴とする方法。
【請求項１９】
請求項１１乃至１８の何れか１項に記載の方法において、商品および／またはサービスのそれぞれに関連し、該商品および／またはサービスの提供者によって通信網（５）を介して入力される画像オブジェクトとこれに関連付けられた画像オブジェクト情報とが該メディアセンタ（２）内で受信され、かつ画像オブジェクトデータベース（２９１）に記憶されることを特徴とする方法。
【請求項２０】
請求項１１乃至１９の何れか１項に記載の方法において、該ユーザ関心対象プロファイルが、該視線方向評価モジュール（２３）によって決定された画像オブジェクトにそれぞれ関連付けられた画像オブジェクト情報に基づいて、該関心対象決定モジュール（２５）により決定されることを特徴とする方法。
【発明の詳細な説明】
【０００１】
本発明は画像オブジェクトを配信するシステムおよび方法に関する。本発明は特に、メディアセンタと接続された画像オブジェクトデータベースに記憶された画像オブジェクトを配信するシステムおよび方法であって、画像オブジェクトデータベース内の前記画像オブジェクトにはそれぞれの画像オブジェクト情報が関連付けられ、前記画像オブジェクトはメディアセンタから通信網を経て該通信網と接続された１つまたは複数の通信機器に転送され、かつ通信機器のユーザが前記画像オブジェクトを通信機器のそれぞれ１つの表示ユニットによって閲覧できるようにされるシステムおよび装置に関する。
【０００２】
集中記憶され、オブジェクト情報が関連付けられた画像オブジェクトが通信機器を経て通信機器に送信され、この通信機器のユーザがそれぞれ通信機器の表示ユニットを利用して該画像オブジェクトを閲覧できるようにする方法および装置は公知である。画像オブジェクトとは以下のテキストでは、好適には適宜のメディア基準、および／または像データ基準に基づいて構成され、かつ適宜の手段、例えばソフトウェアまたはハードウェアによって実施される機能、特に解凍／圧縮、および再生機能によってユーザが表示ユニット上で閲覧できるようにすることが可能である像コンテンツを含む、データファイルのことである。この画像オブジェクトの画像コンテンツは例えば、例えばディジタル写真、グラフィックおよび／またはテキストのような静止画像であるが、例えばビデオ画面のような動画も該当する。例えばこのような画像オブジェクトはウェブサーバからインターネットを経て、例えばパーソナルコンピュータのような通信機器に転送され、そこで例えばスクリーンのような表示ユニットによってユーザが閲覧できるようにされる。このような公知のシステムおよび方法の場合、常に、ユーザがウェブサーバで利用できる様々なページによってどのようにナビゲートされるか、すなわちどのようなナビゲーション命令、および／または検索命令および検索パラメータをユーザが入力するかに応じて、画像オブジェクトがユーザの通信機器に送信され、その際に個々の画像オブジェクトがウェブサーバによって特定のユーザ別に選択され、該ユーザに送信されることはない。
米国特許明細書第５７５８２５７号には、ユーザプロファイルに基づいてビデオプログラムの配信、およびそれに対するアクセスを時間的に組織する（スケジュール）ためのシステムおよび方法が記載されている。米国特許明細書第５７５８２５７号の教示内容によれば、テレビケーブル網のユーザ向けに、それぞれがテレビ受像機と接続されたセットトップボックス内でユーザの聴視習慣に基づいてユーザプロファイルが決定され、セットトップボックスに記憶される。このユーザプロファイルに基づいて、セットトップボックス内で、テレビケーブル網を介して受信された正規のテレビチャネルのビデオプログラムから、内容が当該ユーザの関心対象にできるだけ適合する仮想チャネルがそれぞれ生成される。米国特許明細書第５７５８２５７号によれば、セットトップボックスには、それぞれ異なるユーザ識別子が関連付けられた複数のユーザプロファイルも記憶されるので、当該ユーザによって、仮想チャネルを生成するための個々のユーザプロファイルがそれぞれ画面に表示される。米国特許明細書第５７５８２５７号によれば、セットトップボックスによってユーザプロファイル情報を逆方向チャネル、例えば電話回線を介してテレビケーブル網の端末機に伝送することができ、それに基づいて全ユーザの聴視習慣を纏めた全ユーザプロファイルが決定される。米国特許明細書第５７５８２５７号の教示内容によれば、この全ユーザプロファイルに基づいて、端末機でテレビケーブル網を介して配信されるビデオプログラムの時間的なプラニングが継続的に可能である。
【０００３】
本発明の目的は特に、当該のユーザがユーザ特有の選択命令、および／または選択データを入力する必要なく、画像オブジェクトがユーザ別に選択され、当該ユーザの通信機器に送信されることを可能にする、画像オブジェクトの新規かつ改良されたシステム、および新規かつ改良された方法を提供することにある。
上記の目的は本発明に基づき、特に独立クレームに記載の要素によって達成される。更に、その他の有利な実施形態は従属クレームおよび以下の説明から明らかにされる。
【０００４】
上記の目的は本発明に基づいて特に、画像オブジェクトを配信するシステムであって、通信網と、該通信網と接続された少なくとも１つのメディアセンタと、該メディアセンタと接続され、該画像オブジェクトおよび該画像オブジェクトに関連付けられた画像オブジェクト情報が内部に記憶されている画像オブジェクトデータベースと、該通信網と接続可能である１つまたは複数個の通信端末機とを含み、該通信端末機はその１つの通信端末機のユーザに対して該画像オブジェクトを閲覧できるようにする表示ニットをそれぞれ使用可能であり、該メディアセンタによって、該通信機器から該通信網を経て該メディアセンタにそれぞれ転送されるユーザ識別データが受信され、該メディアセンタによって、該メディアセンタと接続され、かつユーザ関心対象プロファイルおよび該ユーザ関心対象プロファイルに関連付けられたユーザ識別データが記憶されたユーザ関心対象データベースから、該受信されたユーザ識別データに関連付けられたユーザ関心対象プロファイルが決定され、該メディアセンタによって該決定されたユーザ関心対象プロファイルの情報との少なくとも１つの一致点を有する画像オブジェクト、すなわち所定の相関値に基づく少なくとも１つの相関関係を有する画像オブジェクト情報が関連付けられた画像オブジェクトが該画像オブジェクトデータベースから決定され、かつ、該メディアセンタによって、該決定された画像オブジェクトの少なくとも１つが通信網を経て該受信されたユーザ識別データの転送元である当該の通信機器に送信される、システムによって達成される。ユーザ識別データがユーザの通信機器から受信され、該ユーザ識別データに関連付けられたユーザ関心プロファイルが決定され、かつ該決定されたユーザ関心対象プロファイルに基づいて、また該画像オブジェクトに関連付けられた画像オブジェクト情報に基づいて画像オブジェクトがメディアセンタによって選択され、かつ送信されることにより、画像オブジェクトがメディアセンタによってユーザ別に選択され、該ユーザが命令および／またはデータを入力しなくても、ユーザの通信機器に転送されることが可能であるという利点が得られる。
【０００５】
好適には、ユーザの少なくとも片方の眼の実際の視線方向は、当該の前記通信機器の視線方向決定モジュールによってそれぞれ決定され、決定された実際の視線方向は、前記当該の通信機器から通信網を経てメディアセンタにそれぞれ転送され、かつ、メディアセンタの視線方向評価モジュールによって、決定された実際の視線方向に基づいて、また、メディアセンタから通信網を経て当該の通信機器に転送されるビデオオブジェクトおよび／または画像オブジェクトに基づいて、当該の通信機器のユーザによって閲覧される画像オブジェクトがそれぞれ決定される。ユーザによって閲覧される画像オブジェクトが把握されることで、どの画像オブジェクトが全体的に、または特に特定のユーザによって閲覧されるかを統計的に評価できるという利点が得られる。画像オブジェクトが例えば適宜の供給業者により提供されたサービスおよび／または商品のための広告に関するものである場合は、ユーザによる申告がなされなくてもその種類の広告の普及効果を評価することができる。
【０００６】
好適には、メディアセンタの関心対象決定モジュールによって、決定された画像オブジェクトに基づいてユーザ関心対象プロファイルが決定され、かつ前記ユーザ関心対象データベースに記憶される。ユーザ関心対象プロファイルを個々のユーザによって閲覧される決定された画像オブジェクトに基づいて決定することの利点は、ユーザがそのための命令および／またはデータを入力しなくても、前記ユーザ関心対象プロファイルをメディアセンタ内で動的にかつ自動的に決定できることになる。
【０００７】
一実施形態では、画像オブジェクト情報は注文番号を含み、ユーザ識別データは明確なユーザ識別名を含むと共に、メディアセンタの注文モジュールによって、決定された前記画像オブジェクトの１つについて注文手続きが開始され、前記注文には前記画像オブジェクトに関連付けられた注文番号、および当該のユーザの明確なユーザ識別名が使用される。画像オブジェクトに注文番号が付され、かつユーザによって閲覧された決定された画像オブジェクトに基づいて注文手続きが開始されることの利点は、当該のユーザが閲覧した画像オブジェクトの画像コンテンツに対応する所望のオブジェクトに関する申告が当該のユーザからなされる必要がなく、あるいは、メディアセンタによって所望のオブジェクトに関するユーザからの申告が照会される必要がないことである。
【０００８】
一実施形態では、決定された画像オブジェクトはメディアセンタによってビデオオブジェクトに挿入され、該ビデオオブジェクトは前記メディアセンタから通信網を経て当該の通信機器に転送され、そこでビデオオブジェクトは表示ユニットを利用して当該の前記通信機器のユーザが閲覧可能であるようにされる。画像オブジェクトがビデオオブジェクトに挿入され、このビデオオブジェクトが当該のユーザの通信機器に転送され、そこで該ユーザが閲覧可能であるようにされることは、ユーザがビデオオブジェクトの閲覧中に画像オブジェクトを閲覧できるようにされ、その際にこの画像オブジェクトは前述のように、当該のユーザの関心対象プロファイルに基づいて選択されることができることにある。この場合の具体的な用途としては例えば、ユーザに対して無料のフィルム（ビデオオブジェクト）が再生され、そのフィルムに例えば時折、画像コンテンツが、提供業者によって提供され、そのつどのユーザ関心対象プロファイルに適応する商品および／またはサービスの広告である画像オブジェクトが挿入されることが挙げられる。
【０００９】
一実施形態では、ビデオオブジェクトは記憶されたメディアオブジェクトからビデオシンセサイザによって生成され、例えばビデオシンセサイザによってメディアオブジェクト情報が関連付けられたメディアオブジェクトは、メディアオブジェクト情報が決定されたユーザ関心対象プロフィルと少なくとも１つの一致点を有するように、すなわち所定の相関値に基づく少なくとも１つの相関関係を有するように決定される。ビデオオブジェクトを特に当該のユーザの関心対象プロファイルに基づいて選択されたメディアオブジェクトから生成することの利点は、ビデオオブジェクトを動的に、かつ特定のユーザ別にビデオシンセサイザによって生成可能であることにある。別の利点は、画像オブジェクトがユーザによってビデオオブジェクトに対応するビデオ画面の構成要素として視認されるように、すなわち画像オブジェクトが閲覧されるビデオ画面と一体の構成要素として視認されるように画像オブジェクトをビデオオブジェクトに挿入できることにある。
【００１０】
一実施形態では、通信機器内でセンサを用いて生物測定学的なユーザの特徴が検出され、この生物測定学的なユーザの特徴はユーザ識別データに挿入される。この実施形態の利点は、一方では、例えば指紋、眼のパターン、顔の特徴、および／または声紋のようなユーザの生体測定特性が高い精度を有し、ユーザが固有のコードを思い出す必要がなく、または別個の識別手段を導入する必要がないことであり、他方では、通信端末機で適宜のセンサによってこのような生体測定特性が検出されることで、ユーザがそれに関連するデータを入力する必要がなくなることにある。ただし、生体測定特性は、当該のユーザの単なる再識別（匿名の）にも利用することができ、その際は、生体測定特性にはユーザを識別するためのユーザの識別を確認するため、データベース中で生体測定特性に、他のユーザデータ、例えば名前、住所、銀行口座を関連付けることができる。他のデータは関連付けられない。
【００１１】
一実施形態では、超小型エレクトロメカニカルスキャナを使用して、ユーザ識別データに添付される網膜パターンが検出される。網膜パターンの利点は、特に網膜パターンは時間が経過しても僅かしか変化しない生物学的特徴を表すので、高いセキュリティ精度を満たす明確なユーザの（再）識別を可能にすることにある。網膜パターンを検出するための超小型エレクトロメカニカルスキャナを使用することの利点は、超小型エレクトロメカニカルスキャナの寸法が極めて小さく、また例えば仮想網膜表示装置の構成要素をなすことが可能であることである。この実施形態では、ビデオオブジェクトおよび／または画像オブジェクトに対応する光信号は前記のような仮想網膜表示ユニットを使用してユーザの網膜に直接投影される。
【００１２】
一実施形態では、通信網は例えばＧＳＭ−ネットワーク（広域移動通信システム）、ＵＭＩＴ−ネットワーク（汎用携帯電話システム）、および／または他方では例えば衛星を使用した移動通信網などの移動通信網を含み、また、通信機器は例えば携帯電話および／またはモバイル通信が可能なコンピュータなどの移動通信機器を含んでいる。本発明のシステムで移動通信網を通信ネットワークとして利用し、通信機器として移動通信機器を利用することの利点は、ユーザがモバイルで、自由に移動可能であることにある。
【００１３】
一実施形態では、それぞれが商品および／またはサービスに関連し、このような商品および／またはサービスの供給業者によって通信網を経て入力される画像オブジェクトおよびこれに関連付けられた画像オブジェクト情報は、例えば移動通信網または固定通信網、特にインターネットまたは公衆交換電話回線網、またはＩＳＤＮ回線網によって受信され、画像オブジェクトデータベースに記憶される。この実施形態の利点は、それによって商品および／またはサービスの供給業者が広告プラットフォームに直接アクセスでき、このアクセスを介して供給業者は画像オブジェクトを自動的に、また特有のユーザ別に配信するために、画像オブジェクト、およびこれに付属する画像オブジェクト情報を独自のイニシアチブで、また独立して、本発明のシステムに入力できることにある。
【００１４】
次に本発明の実施形態を例に基づいて説明する。実施例は流体の単一図に図示されている。
【００１５】
図１では参照番号１は画像オブジェクトを配付するためのシステムを示す。画像オブジェクトの説明は既に導入部でなされている。ここでは特にＭＰＥＧ−４標準規格、すなわちＭＰＥＧ（エムペグ：カラー動画の圧縮、展開符号化方式開発グループ）によって開発され、これに関連して出願日の時点で例えばインターネットサイトｗｗｗ．ｃｓｅｌｔ．ｓｔｅｔ．ｉｔ／ｍｐｅｇ／ｓｔａｎｄａｒｄｓ／ｍｐｅｇ−４から概要を知ることができるＩＳＯ／ＩＥＣ規格（ＩＳＯ／ＩＥＣ  １４４９６）に基づく画像オブジェクトについて言及する。ＭＰＥＧ−４は下記の標準規格を提示するものである。すなわち、ａ）オーディオ、ビジュアル、またはオーディオビジュアルのコンテンツ、いわゆるメディアオブジェクトで、そのコンテンツが（マイクおよび／またはカメラで収録された）自然のコンテンツでもよく、または（コンピュータによって生成された）合成コンテンツでもよいオブジェクトの表現、ｂ）オーディオビジュアル場面を構成する、構成されるメディアオブジェクトに対する前記メディアオブジェクトのコンポジションの説明、ｃ）通信網を介した送信のための前記メディアオブジェクトのデータの多重化および同期化、および、ｄ）受信機で生成されるオーディオビジュアル場面とのインタラクション、である。ＭＰＥＧ−４によれば、オーディオビジュアル場面は階層的に組織された複数のメディアオブジェクトから構成され、一例では、例えば静止した背景のような静止画像オブジェクト、例えば唄っている歌手のような、ここではビデオオブジェクトとも呼ばれる動画オブジェクト、および例えば歌手の歌声のようなオーディオオブジェクトから構成される。ＭＰＥＧ−４は二次元、または三次元の形式で実施可能である自然派生的、または合成派生的なコンテンツを有するメディアオブジェクトの符号化された表現を定義するものである。本発明を実現するため、好適にはＭＰＥＧ−４標準規格、もしくはＭＰＥＧ−４標準規格の新展開が静止画像オブジェクト、動画オブジェクト（またはビデオオブジェクト）、またオーディオオブジェクトの標準規格として使用され、その際に静止画像オブジェクト並びに動画オブジェクト（またはビデオオブジェクト）はこの好適な標準規格によれば単純な、または構成されたメディアオブジェクトであり、前述のように、このメディアオブジェクトはオーディオオブジェクトをも含むことができる。通信網３、５を経てメディアオブジェクトを端末から端末に転送するためには、例えばＭＰＥＧ−４で定義されているデリバリマルチメディア総合フレームワーク（ＤＭＩＦ）−プロトコルを使用することができる。個々のメディアオブジェクトから構成される場面を記述するには、ＭＰＥＧ−４で定義されている場面のためのバイナリフォーマット（ＢＩＦＳ）を使用することができ、これはバーチァルリアリティモデリング言語（ＶＲＭＬ）に基づくものである。場面の記述は個々のメディアオブジェクトと共に符号化され、転送される。
【００１６】
画像オブジェクトを配信するためのシステム１の一部として、図１には通信能力を有する通信端末機（４、４’、４”）を介してメディアセンタ２と通信できる、すなわち特にデータ交換が可能である通信網３が概略的に示されている。通信網３は一例として、例えば公衆交換電話回線、ＩＳＤＮ回線網（ディジタル総合サービス網）、ＰＣＬ網（電力線通信）、または特にワールドワイドインターネットのようなＩＰネットワーク（インターネットプロトコル）のような固定ネットワーク、および／または例えばＧＳＭ網、またはＵＭＴＳ網、または例えば衛星を使用した移動通信網のようなその他の移動通信網を含むことができる。通信網３と接続可能な通信端末機４、４’、４”は適宜の態様の様々な通信端末機を含むことができ、一例として、例えばパーソナルコンピュータ、または公衆アクセス可能な端末機のような固定式通信端末機４’、または例えばラップトップコンピュータ、パームトップコンピュータ、または適宜の通信モジュールを搭載した移動データアシスタント（ＰＤＡ：パーソナルデータアシスタント）のような携帯式の通信能力を有するコンピュータ４”、または移動通信機器、特に携帯電話４’を含むことができる。データ、特に画像オブジェクト、およびビデオオブジェクトのデータをメディアセンタ２と携帯電話４’との間で伝送するために、例えばＧＰＲＳサービス（汎用パケット無線サービス）、またはＨＳＣＳＤサービス（高速回線交換データ）、またはその他の適宜のサービスを利用することができる。通信網３は、例えばＤＡＢ（ディジタルオーディオ放送）、またはＤＶＢシステム（ディジタルビデオ放送）のような単方向放送システムを含むことも可能であり、これを介してメディアセンタ２から、そのためにＤＡＶ受信機、もしくはＤＶＢ受信機を搭載し、かつメディアセンタ２への逆方向チャネル用に通信網３の固定通信網、または移動通信網を介した通信用に適した通信モジュールを含む通信端末機４、４’、４”にメディアオブジェクトを転送することができる。図１の３つの点によって、複数の通信端末機４、４’、４”を通信網３を介してメディアセンタ２に接続可能であることが示されている。図１では通信端末機のある特定の構成部品は携帯電話４についてだけに示されているが、これらの構成部品は全て別の通信端末機４’および４”にも利用できる。このような特定の構成部品の例としてここでは、表示ユニット４１、視線方向決定モジュール４２、および網膜スキャナ４３を挙げておくが、これらは例えばコンタクト式、またはコンタクトレスの機器インターフェースを介して携帯電話４と接続される。
【００１７】
表示ユニット４１は例えば、画像オブジェクトに対応する光信号をユーザの眼の網膜に直接投影することでユーザが画像オブジェクトを閲覧できるようにする仮想網膜表示ユニット４１である。このような投影のために、およびオブジェクトから反射した、または放射された光線を検出するために、表示ユニット４１は少なくとも１つの超小型エレクトロメカニカル（ＭＥＭＳ：超小型電気機械システム）素子、特に超小型エレクトロメカニカルスキャナを含んでいる。直接網膜表示ユニットに画像オブジェクトを投影するために、および／またはオブジェクトから反射し、または放射された光線を検出するために、２軸ミラーを有する超小型エレクトロメカニカル素子を含む超小型エレクトロメカニカルスキャナを使用することは、例えばＷＯ９８／１３７２０号に記載されている。画像オブジェクトに対応する光信号を閲覧者の網膜に直接投影する仮想網膜表示ユニット（バーチャル網膜ディスプレー：ＶＲＤ）は、例えばＷＯ９４／０９４７２号、ＷＯ９７／３７３３９号、および前述の特許出願ＷＯ９８／１３７２０号に記載されている。この仮想網膜表示ユニットは、例えばＲＧＢ信号、ＮＴＳＣ信号、ＶＧＡ信号、またはその他の様式化されたカラー、またはモノクロのビデオ信号またはグラフィック信号の形式で、ビデオインターフェースを介してビデオオブジェクトのデータを供給することができる。前記の特許明細書ＷＯ９４／０９４７２号、およびＷＯ９７／３７３３９号に記載の仮想網膜表示ユニット、もしくはこれらに記載されているビデオインターフェースを適応化して、使用される画像オブジェクトに応じて様々なデータフォーマットを効率よく受信し、処理できるようにすることが有利であることが当業者には理解されよう。例えば通信端末機４に搭載されるインターフェースモジュール（図示せず）によって、画像オブジェクトのデータを適宜にビデオインターフェースに適応化でき、もしくは、画像オブジェクトのデータをビデオインターフェースに結合し、仮想網膜表示ユニット４１を利用してユーザが閲覧できるように、受信された画像オブジェクトのデータを変換することができる。
【００１８】
表示ユニット４１の構成部品は好適には共通のケーシング内に一体化され、または共通の担体上に取り付けられ、前記ケーシングまたは前記共通の担体は好適には、ユーザが従来の眼鏡、またはヘルメットのように装着できるように形成される。例えば超小型フォン、ヘッドフォン、前述の機器インターフェース、視線方向決定モジュール４２、および／または網膜スキャナ４３のようなその他の構成部品も共通の担体上に設置できる。通信端末機４、４’、４”を表示ユニット４１と共に、また場合によっては前述のその他の構成部品と共に共通のケーシング内に、または共通の担体上に（１個の装置として）実施することも可能である。
【００１９】
図１に概略的に示すように、表示ユニット４１には視線方向決定モジュール４２が接続され、これは画像オブジェクトを閲覧する際のユーザの実際の眼の位置を検出することによって、ユーザの眼の実際の視線方向を特定し、前述の機器インターフェースを介して携帯電話４に伝送することができる。ユーザの瞳の位置に基づいて実際の眼の位置を決定する視線方向決定モジュール（アイトラッカ）も前述の特許出願Ｗ０９４／０９４７２号に記載されており、当業者はこれを拡張して、決定された眼の位置を機器インターフェースを介して携帯電話４に送信することが可能である。実施形態によっては、両眼の数値を得ることもできる。それに加えて、ここでは、例えば携帯電話４内で検出された眼の位置を、例えば補助的な頭部位置特定ユニット（図示せず）によって水平面、および垂直面に対する水平、および垂直の頭の回転角度として検出された頭の位置、もしくは頭の動きと補助的に組合わせて、表示ユニット４１に対する視線方向には限定されないユーザ固有の視線方向を決定することも可能であることを付記しておく。
【００２０】
前述の超小型エレクトロメカニカルスキャナを使用して、もしくは補助的に、光信号を網膜に投影することの他に、オブジェクトから反射し、または放射する光線の検出用に使用可能であるような超小型マイクロメカニカルスキャナを使用して、ユーザの網膜パターン、特に網膜の静脈によって形成されるパターンをも検出することができる。この目的のため、超小型エレクトロメカニカルスキャナは網膜から反射した光線を例えば光導波管を用いて（少なくとも）１つの感光素子へと誘導する。カラー画像用にも実施可能であり、前記の網膜パターンの検出に適したこのような網膜スキャナは、例えば前述の特許出願Ｗ０９８／１３７２０号に記載されている。感光性素子（１つまたは複数）内で検出された光量値は例えば網膜スキャナ４３内でディジタル化され、それによって得られた反射データから、例えば投影された光線と反射した光線との差分計算によって網膜パターンが生成される。網膜パターンを検出するための前述の構成部品を含む網膜フキャナ４３による網膜パターンの検出は、例えば携帯電話４から機器インターフェースを介して網膜スキャナ４３に送られる適宜の命令によって開始されることができる。更に、網膜パターンを決定するための網膜スキャナ４３に例えばＬＥＤ（発光ダイオード）またはレーザーのような別個の光源を備えることで、その光ビームを例えば適宜の超小型電気機械式に移動可能なミラーを用いて、画素もしくは光点の格子として網膜に投影することによって、網膜パターンに対応する前述の検出された反射データを反射した光ビームから得ることもできる。画像オブジェクトに対応する光信号として、別個の光源が別の波長を含む光線を放射する場合は、例えばこの光源が赤外線放射源であるならば、または使用される感光性素子が前記光線に対応するように設計されている場合は、ユーザにより画像オブジェクトが閲覧されている間に同時に、網膜パターンの前記のような直接的な検出を行うことができる。
【００２１】
ここでは、前記の好適な実施例では眼の特徴として網膜パターンの検出だけに言及したが、他方では、例えばアイリス（虹彩）のパターンも検出可能であることを付記しておく。
【００２２】
本発明の仮想網膜表示ユニット４１、視線方向決定モジュール４２、および網膜スキャナ４３によって使用される構成部品、例えば回転可能な超小型エレクトロメカニカルミラー、光源、感光性素子、および／またはプログラム可能プロセッサを表示ユニット４１、視線方向特定モジュル４２、および網膜スキャナ４３の様々な実施携帯で組合わせて使用することができ、または表示ユニット４１、視線方向特定モジュル４２、および網膜スキャナ４３用にそれぞれ別個の構成部品として使用できることが、当業者には理解されよう。更に、例えばＬＥＤ光源および感光性素子のような個々の構成部品の代わりに複合的な機能を有する部品を使用することも可能である。
【００２３】
メディアセンタ２は１つまたは複数個の互いに接続されたコンピュータから構成され、特に、通信網３を経て、また該通信網３と同様に実施可能である通信網５を経て通信端末機４、４’、４”と通信するために必要なハードウェアおよびソフトウェアの構成要素が搭載され、また、例えば商品および／またはサービスを提供する供給業者の通信端末機６が搭載された通信モジュール２１を利用できる効率的なサーバーから構成されている。図１に概略的に示すように、メディアセンタ２は様々なデータベース２９１〜２９４と接続されている。これらのデータベース２９１〜２９４は、メディアセンタ２と結合された独立のコンピュータ上で、かつ／またはメディアセンタ２と同じコンピュータ上で実施することができる。これらのデータベース２９１〜２９４は共通のデータベースとして実施することも可能である。データを記憶するために、データベース２９１〜２９４は記憶されるデータの容量および必要なアクセス時間に応じて異なる態様で実施可能である適宜のデータ媒体を含んでいる。メディアセンタ２はその他の機能モジュール、特に図１に示した機能モジュール２２〜２７を含んでおり、これらは、メディアセンタ２のメモリに記憶され、メディアセンタ２のプロセッサで実施可能なプログラム可能なソフトウェアモジュールとして実施されるか、またはこのようなソフトウェアモジュールと、適宜のハードウェア部品との組合せとして、または純粋なハードウェア部品として実施される。
【００２４】
図１の機能モジュール２４〜２７とデータベース２９１〜２９４とを互いに結ぶ矢印は、前記モジュールと構成部品との間の後述のデータストリームを理解し易くするために記したものであり、またこの矢印は、前記モジュールと構成部品の間の通信チャネル、もしくはインターフェースの技術的な実施形態を限定的に示すものではないことをここに明確にしておく。
【００２５】
関心があるユーザは通信能力を有する通信端末機４、４’、４”によって、通信網３を経て、例えばメディアセンタ２の対応するサービス番号の自動的、または手動的な選択によってメディアセンタ２とコンタクトをとることができる。例えばメディアセンタ２の呼び出しのようなコンタクトがとられた後に、通信端末機４は当該のユーザのユーザ識別データを通信網３を介してメディアセンタ２に伝送し、そこで前記データは例えば通信モジュール２１によって受信され、かつ関心対象決定モジュール２５に転送される。ユーザ識別データはメディアセンタ２内に中間記憶され、その際に当該ユーザを彼の通信端末機４、４’、４”と関連付けるためにユーザ識別データに、ユーザ識別データの取得元である通信端末機４、４’、４”に該当する識別名が、または前記通信端末機４、４’、４”との通信接続（セッション）に該当する識別名が割り当てられる。ユーザ識別データには例えば生物測定学的なユーザの特徴、一例として通信端末機４と取り出し可能に接続されるチップカード４４に記憶されている、または通信端末機４の適宜のセンサによって検出される、例えば指紋、眼のパターン、顔の特徴、および／または声紋が含まれる。眼のパターンは例えば、前述の網膜スキャナ４３によって検出される網膜パターンである。ユーザ識別データは別の要素を含むこともでき、それには例えば国際的に使用可能である明確なユーザ識別方式、例えば、ネットワークオペレータを識別するための国際モバイル加入者識別方式（ＩＭＳＩ）またはユーザ識別方式、例えば銀行および／またはクレジットカード会社のような金融サービス業者で識別するための国際デットユーザ識別方式（ＩＤＵＩ）、または例えは加入者番号のような単一のまたはグループの供給業者が使用できるユーザを明確に識別するための識別方法が含まれる。
【００２６】
ＩＶＲ（対話式音声応答）または音声認識サービスによって、または例えば当該の通信端末機の表示ユニットにそれぞれ表示される、例えばＪａｖａアプレット（Ｊａｖａはサン・マイクロソフト社の登録商標である）のようなソフトウェアプログラムの形式のメニュー構造によって、メディアセンタ２は、利用できる様々なサービスの提供、および／またはメディアの提供品、特にフィルムの提供品からユーザが選択できるようにする。その後、ユーザによる選択に応じて、または別の場合は、例えばユーザ関心対象データベース２９２に記憶されている、受信されたユーザ識別データに付属するユーザ関心対象プロファイルに基づくメディアセンタ２による選択に応じて、メディアセンタ２からメディアオブジェクト、特に例えば無料のビデオオブジェクトが通信網３を経て当該ユーザの通信端末機４に伝送され、そこで前記オブジェクトは表示ユニット４１によってユーザが閲覧できるようにされる。その際に、ビデオオブジェクトはビデオデータベース２９３に記憶されているフィルムに対応し、またはメディアセンタ２のビデオシンセサイザ２７によってメディアオブジェクトデータベース２９４に記憶されているメディアオブジェクトからビデオオブジェクトが生成される。ビデオシンセサイザ２７によってビデオオブジェクトが生成されることによって、例えばオブジェクト向けのスクリプトに基づいて合成フィルム、またはバーチァルフィルムの自動的な作成が可能になる。
【００２７】
ユーザが表示ユニット４１を用いて、メディアセンタ２によって伝送されたメディアオブジェクト、特にビデオオブジェクトおよび画像オブジェクトを閲覧している間に、継続的に、例えば所定期間を隔てて周期的に、または、メディアセンタ２による照会がなされるごとに、通信端末機４の視線方向決定モジュール４２によってユーザの少なくとも片方の眼の実際の視線方向が決定され、それは例えば時間表示、または実際に提示されたメディアオブジェクトを決定するデータと共に、通信網３を経てメディアセンタ２に伝送される。メディアセンタ２で受信されたユーザの実際の視線方向に基づいて、メディアセンタ２内の視線方向評価モジュール２３によって、メディアセンタ２からユーザの通信端末機４、４’、４”に伝送された、ユーザが閲覧するビデオオブジェクトおよび／または画像オブジェクトの実際の視線方向にあるメディアオブジェクト、もしくはビデオオブジェクト、または画像オブジェクトが決定される。その際に前記メディアオブジェクト、もしくはもしくはビデオオブジェクト、または画像オブジェクトの特定は、表示ユニット４１に対する実際の視線方向から、この時点でユーザが閲覧できるようにされたメディアオブジェクト（画像オブジェクトまたはビデオオブジェクト）の閲覧箇所の座標が検出され、かつこの座標に基づいて、前記箇所にあるメディアオブジェクト、もしくはビデオオブジェクト、または画像オブジェクトが決定されることによって行われる。このようにして決定されたメディアオブジェクト、もしくはビデオオブジェクト、または画像オブジェクトへのオブジェクトリファレンスは、視線方向評価モジュール２３によってメディアセンタ２の別のモジュール、例えば関心対象決定モジュール２５が利用できるようにされる。
【００２８】
メディアセンタ２の関心対象決定モジュール２５によって、当該ユーザのユーザ識別データが関連付けられた決定されたメディアオブジェクト、もしくはビデオオブジェクト、または画像オブジェクトへのオブジェクトリファレンスが記憶され、かつ、例えばこのメディアオブジェクト、もしくはビデオオブジェクト、または画像オブジェクトを当該のユーザが閲覧した頻度、および／または期間に基づいて、ユーザ関心対象プロファイルが作成され、もしくは実質化され、これに当該ユーザのユーザ識別データが関連付けられてユーザ関心対象データベース２９２に記憶される。ユーザ関心対象プロファイルの作成に際しては関心対象決定モジュール２５によってメディアオブジェクト情報、特にビデオオブジェクト情報、および／または画像オブジェクト情報が考慮され、これらは当該のメディアオブジェクト、もしくはビデオオブジェクトまたは画像オブジェクトに関連付けられてメディアオブジェクトデータベース２９１、もしくは画像オブジェクトデータベース２９１にそれぞれ記憶される。ビデオデータベース２９３に記憶される構成されたメディアオブジェクトについては、メディアオブジェクトがビデオデータベース２９３内で構成される構成元であるそれぞれのメディアオブジェクト、もしくはビデオオブジェクト、または画像オブジェクト、ならびにこれに付属するメディアオブジェクト情報、もしくはビデオオブジェクト情報、または画像オブジェクト情報がメディアオブジェクトデータベース２９４、および／または画像オブジェクトデータベース２９１内に記憶される。特に、商品および／またはサービスに関するメディアオブジェクト、もしくはビデオオブジェクト、または画像オブジェクト用のメディアオブジェクト情報、もしくはビデオオブジェクト情報、または画像オブジェクト情報は、その商品および／またはサービスに関するデータ、例えば種類、名称、構造的な分類、価格、技術特性、および／またはその他の外観（デザイン、カラー）、および／またはその商品および／またはサービスの供給業者（単数または複数）、および／またはメーカーに関するデータ、例えば部門、名称、住所、従業員数、財務状態、および／または会社の創立年度を含んでいる。これに対応して、ユーザ関心対象プロファイルは、例えば当該のユーザの関心対象である商品および／またはサービスに関するデータ、例えば種類、名称、構造的な分類、価格、技術特性、および／またはその他の外観（デザイン、カラー）、および／またはその商品および／またはサービスの供給業者（単数または複数）、および／またはメーカーに関するデータ、例えば部門、名称、住所、従業員数、財務状態、および／または会社の創立年度を含んでいる。ユーザ関心対象プロファイルには当該のユーザが希望するサービスの提供および／またメディアの提供品、特にフィルムの提供品に関するデータを含めることができる。更に、ユーザ関心対象プロファイルをユーザ自身が例えば通信網３を介してオンラインで、もしくはオフラインで指定し、即座に、もしくは後の時点でユーザ関心対象データベース２９２内に実質化することもできる。
【００２９】
メディアオブジェクト決定モジュール２６によって、メディアセンタ２内で当該ユーザが受理したユーザ識別データに基づいて、このユーザ識別データをユーザ関心対象データベース４９２に付与するユーザ関心対象プロファイルが決定される。決定されたユーザ関心対象プロファイルに基づいて、メディアオブジェクト決定モジュール２６は、メディアオブジェクトデータベース２９４に記憶されているメディアオブジェクト、もしくは画像オブジェクトデータベース２９１内に記憶され、当該のユーザが関心を持つ可能性がある画像オブジェクトを決定する。この目的のため、メディアオブジェクト決定モジュール２６は、メディアオブジェクトもしくは画像オブジェクトにそれぞれ関連付けられてメディアオブジェクトデータベース２９４、もしくは画像オブジェクトデータベース２９１に記憶されるユーザ関心対象プロファイルとメディアオブジェクト情報との相関関係を決定する。メディアオブジェクト、もしくは画像オブジェクトがメディアオブジェクト決定モジュール２６によって当該ユーザにとって関心があるものとランク付けされることを前提にした場合の相関係数、すなわち、ユーザ関心対象プロファイルとメディアオブジェクト情報、もしくは画像オブジェクト情報とのとの一致の度合いは、例えば当該のユーザ関心対象プロファイルにどれほど多くのデータが含まれているかに応じて変わることがある。例えば、ユーザ関心対象プロファイルとメディアオブジェクト情報、もしくは画像オブジェクト情報との最小限の相関関係は、例えば意味論的に、少なくとも１つのデータ要素の一致である。ユーザにとって関心があるとランク付けされた、メディアオブジェクトデータベース２９４内に記憶されたメディアオブジェクト、もしくは画像オブジェクトデータベース２９１内に記憶された画像オブジェクトへのオブジェクトリファレンスは、メディアオブジェクト決定モジュール２６によってビデオシンセサイザ２７に送られる。その際に、特に膨大なメディアオブジェクト、もしくは画像オブジェクトがユーザにとって関心対象であるとランク付けされた場合、ビデオシンセサイザ２７へのオブジェクトリファレンスの伝送の時間的な順序はメディアオブジェクト決定モジュール２６によって制御される。メディアオブジェクト決定モジュール２６はビデオシンセサイザ２７に伝送される多数のオブジェクトリファレンスを所定数に制限することも可能であり、その際に有利には検知された最大の相関を有するメディアオブジェクト、もしくは画像オブジェクトへのオブジェクトリファレンスが好適に伝送される。
【００３０】
ビデオシンセサイザはオブジェクトデータベース２９１からオブジェクトリファレンスにそれぞれ対応する画像オブジェクトを取り出し、ビデオデータベース２９３から当該のユーザ識別データの取得元である当該ユーザの通信端末機４へと伝送されるビデオオブジェクトに挿入する。画像オブジェクトがビデオオブジェクトに挿入される位置の座標は、例えば事前に定義することもでき、またはランダムアルゴリズムで定義することもできる。ユーザが視認するビデオオブジェクトの画像領域内に画像オブジェクトを組込むことの他に、画像オブジェクトは、画像領域全体を塞ぐことでユーザの視覚からビデオ画面を遮断するようにビデオオブジェクト内に挿入されることもできる。画像オブジェクトをビデオオブジェクトに挿入することの他に、ビデオシンセサイザは、メディアオブジェクトが、特にメディアオブジェクト決定モジュール２６によってそのためのオブジェクトリファレンスが保持されたメディアオブジェクトがメディアオブジェクトデータベース２９４から取り出され、かつ例えば予め定義されたスクリプトに基づいて、新規に構成されたメディアオブジェクト、もしくはビデオオブジェクトへと構成されることによって、ビデオ画面、もしくはフィルムを合成して生成することができ、前記メディアオブジェクトもしくはビデオオブジェクトは当該ユーザの通信端末機４に伝送される。メディアオブジェクト決定モジュール２６によってそのためのオブジェクトリファレンスが保持され画像オブジェクトも、ビデオシンセサイザによって前記のように合成して生成されたメディアオブジェクト、もしくはビデオオブジェクトに挿入可能である。ここで更に言及すべきことは、メディアオブジェクト、もしくはビデオオブジェクトに挿入される画像オブジェクトデータベース２９１からの画像オブジェクトは、静止画像に限定されるものではなく、動画をも、そしてオーディオオブジェクトをも含むことができることである。統計的な評価のために、伝送されたオブジェクトリファレンスはメディアセンタ２内に記憶され、数値で検索することが可能である。
【００３１】
一実施形態では、画像オブジェクトの画像オブジェクト情報は補足的に、商品および／またはサービスの識別名、および例えばその商品および／またはサービスの提供業者の識別名を含む注文番号を含んでいる。このような画像オブジェクトは例えばユーザのために目視できる図形の識別記号でマークすることができる。ユーザがこのような画像オブジェクトを閲覧し、同時に、例えば音声言語で、または通信端末機４の操作部品４５を用いて、または表示ユニット４１によってユーザが目視できるようにされた図形の制御アイコンを直後に見ることによって、予め定義された注文番号をメディアセンタ２に送信すると、メディアセンタ２内では注文モジュール２２によって注文手続きが開始される。その際に、場合によっては当該ユーザの適宜の操作の後で、注文番号、および当該ユーザの明確な識別名のデータを含む注文がなされ、例えばＥ−メール、ファックス、または従来の郵便によって当該の供給業者に送られる。生物測定学的なユーザ識別データによってユーザを明確に認識できるものの、注文を清算するためにはこのユーザ識別データの他に、例えば氏名および住所、特に配達先の住所のようなユーザ特有のその他のデータを付与する必要がある。このようなデータがメディアセンタ２内にない場合は、ユーザ識別データが例えばＩＭＳＩ（国際モバイル加入者識別方式）のような代替の、または補足的な明確なユーザ識別子を含んでいることが好適であり、これは例えば当該のユーザを識別し、かつ注文が供給業者に送られる前に、注文に例えば加入者データベースからの、ユーザのその他のデータを含めるために通信網３のオペレータが利用可能である。
【００３２】
商品および／またはサービスの供給業者が、その商品および／またはサービスに関する画像オブジェクトを本システムを介した画像データのユーザ別の配信のために配信できるようにするため、メディアセンタ２は画像オブジェクト入力モジュール２４を使用し、供給業者は適宜の通信端末機６を介して、また適宜のアクセスソフトウェア、例えばブラウザを用いて通信網５を介してこれにアクセスすることができる。画像オブジェクト情報を入力するための予め定義された入力フォーマットの他に、画像オブジェクト入力モジュール２２は、例えばメディアセンタ２が使用するフォーマット以外のフォーマットを用いた画像オブジェクトの入力を容易にするために、供給業者が例えば変換ツールおよび編集ツールを使用できるようにすることが可能である。画像オブジェクト入力モジュール２２を介して入力された画像オブジェクト、およびこれに付属する画像オブジェクト情報は画像オブジェクト入力モジュール２２によって画像オブジェクトデータベース２９１に記憶される。供給業者には、例えば、記憶された画像オブジェクトおよび付属の画像オブジェクト情報の数、および／またはデータ容量に応じてた金額が貸方勘定に入れられる。この金額は画像オブジェクトデータベース２９１内の前記画像オブジェクトの（例えば限定することができる）記憶期間に応じて、および／または画像オブジェクトの通信端末機４、４’、４”への伝送回数に応じて、関心を持つユーザが確認してもよい。
【００３３】
本発明に基づく画像オブジェクト配信システムと配信方法によって、ユーザ関心対象プロファイルに基づいてユーザ別に画像オブジェクトを配信することが可能になる。画像オブジェクトをユーザ別に配信するこのシステムおよび方法によって更に、当該のユーザが入力する必要なく、前記ユーザ関心対象プロファイルを自動的に確認することができる。上記のシステムおよび方法は、ユーザがデータを入力する必要なく当該ユーザのユーザ識別データを自動的に検索することができ、かつ、また確認されたユーザ関心対象プロファイルを前記のユーザ識別データに付与することができる。確認されたユーザ関心対象プロファイルとユーザ識別データを記憶し、割当てるために、ユーザ関心対象プロファイルを後の時点に当該のユーザに再び割当てることができ、これは、ユーザ識別データに当該ユーザの識別子の特定が可能な別の個人データが関連付けられていない場合には、匿名で、すなわち当該ユーザの識別子の知識なしで行うことができる。画像オブジェクトを配信するための本発明のシステムおよび方法は、特に商品および／またはサービスの供給業者がその商品および／またはサービスに関する広告を自動的にユーザ別に配信するためのプラットフォームを提供し、その際に供給業者には特に、例えば別の供給業者の画像オブジェクトと比較して、その画像オブジェクトをユーザがどのような頻度で、および／またはどれだけ長い時間閲覧したかに関する統計的な情報が告知される。前記の匿名性を望まない場合は、例えば当該ユーザのオンラインによる了承によって、当該ユーザのその他の識別データをユーザ識別データに付与して記憶することができる。関心がある供給業者は画像オブジェクトを配信するための本システムのユーザの全体的な関心状態に関する統計的な情報を利用することもできる。
【図面の簡単な説明】
【図１】  表示ユニットおよび視線方向決定モジュールをそれぞれ使用する、通信網を介して通信端末機と接続されるメディアセンタのブロック図を概略的に示している、画像オブジェクト配信システムのブロック図である。
【図１】
0004040302.tif 000002